(57)【特許請求の範囲】
【請求項１】
管体の下部を内部への供給口とし、上部を第一の管口とし、供給口に続けて止水栓及びストレーナを配し、ストレーナよりＴ形管を一体に設けて全体としてＨ形とし、このＴ形管の下向き管口は水抜栓で塞ぎ、上部を第二の管口とし、取り付けブラケットを一体に設けたことを特徴とする給水給湯用分岐管ユニット。
【請求項２】
請求項１記載の給水給湯用分岐管ユニットにおいて、供給口と第一及び第二の管口に差し込み式の迅速継手の一方を配し、かつ、第一及び第二の管口には逆止弁、あるいは、管口に差し込むことにより開放する停止弁を任意選択して設けたことを特徴とするもの。
【請求項３】
請求項１または請求項２記載の給水給湯用分岐管ユニット一対を一体として連結し給水と給湯に用いるようにしたことを特徴とするもの。
【請求項４】
請求項３記載の給水給湯用分岐管ユニットをベースキャビネット内部に配置するようにしたことを特徴とする厨房家具。
【請求項５】
請求項３記載の給水給湯用分岐管ユニットをベースキャビネット内部あるいは壁面に取り付けるようにし、量水器からの給水配管及び給水配管から分岐して給湯器を経ての給湯配管を床下あるいは壁面内の配管ボックスに纏めるようにし、配管ボックスからの給水ホース及び給湯ホースの両端を差し込み式の迅速継手の一方とし、給水給湯用分岐管ユニットから湯水混合水栓や食器洗浄機等の電気機器までの給水ホース及び給湯ホースの少なくとも管口側の継手を差し込み式の迅速継手の一方として繋ぐようにしたことを特徴とする給水給湯システム。
【発明の詳細な説明】
【０００１】
【発明の属する技術分野】
この発明は、システムキッチン、洗面所、浴室ユニット等に使用する設備機器への給水・給湯用分岐管およびこれを用いた給水給湯システムに関するものである。
【０００２】
【従来の技術】
図６に示す通り、近時のシステムキッチンＳでは水槽に臨む湯水混合水栓Ｋや、トールキャビネットＴ内には食器洗浄乾燥機Ｗを組み込むなど、給水と給湯の配管を必須とする機器が組み込まれるのが通例となっている。
図７はシステムキッチンのベースキャビネット内における前記湯水混合水栓Ｋへの配管を示すもので、止水栓Ｐを経て給水管Ｃと給湯管Ｈの二つの配管が上部の湯水混合水栓Ｋに通じている。
図８は、同じくベースキャビネットＢ内の食器洗浄乾燥機Ｗの配管を示すもので、右側が給水管Ｃ、中央が排水管Ｊ、左側が給湯管Ｈと合計三つの配管が食器洗浄乾燥機Ｗに通じている。
図６に示すような、湯水混合水栓Ｋと食器洗浄乾燥機Ｗを備えたシステムキッチンでは、給水・給湯配管としては、少なくとも給湯器よりの配管二本、水道よりの配管一本を、床及び又は壁の所定の位置に取り出し、それらの配管と各機器に通じる配管とをキャビネット内で繋げることになっていた。
【０００３】
現在、上述の配管作業は、有資格の配管業者のみ行うことができ、新築時における工事作業手順は次の通りである。
まず、配管業者が、屋外に設置されている量水器（ここまでは水道局の作業・責任）から給湯器への接続配管及び、量水器及び給湯器から、設備図面に指定されたキッチンの取り出し位置まで壁内や床下を通した配管を行い、管端に止水栓Ｐ（図８に示す）を配置しておく。配管材料は、硬質塩化ビニールライニング鋼管、銅管、合成樹脂管など任意のものを用い、適宜途中で分岐管、エルボ管を介することで、量水器からの水を分岐させ、かつ屈曲させることになる。
次に、システムキッチンの施工業者（工務店等）が、システムキッチンを搬入して各種キャビネット及び設備機器を床面や壁面に取り付け施工する。その際、施工業者は前記配管の管端をキャビネット内部に臨ませるために、必要に応じてベースキャビネットの背板や床板に穴開け加工等を行う。そこでの接続配管は図７で示す湯水混合水栓Ｋの下方の配管が鋼管であれば、管体の切断、ねじ切り、パイプレンチでのねじ込みをなし、銅管、合成樹脂管であればロー付けあるいは接着してシールを行っている。
【０００４】
一方、すでに購入して設置してあるシステムキッチンに、新たに食器洗浄乾燥機Ｗをベースキャビネット内に組み入れたり、カウンタートップに設置する場合がある。
このときも有資格の配管業者が行うが、当然、食器洗浄乾燥機Ｗに供給する給水と給湯用の配管が必要となる。
しかし、多くの現場では既設の配管には取り出し口がないため、湯水混合水栓Ｋへの給水管、給湯管を図１１に示すような分岐管Ａを介在させて食器洗浄乾燥機Ｗ等に繋ぐことになる。
このときには、量水器及びベースキャビネット内の止水栓を閉め、給水管及び給湯管を切断して、その間に分岐管を入れて繋ぐようにしていた。必要に応じて分岐延長した先に止水栓を設けるようにしていた。
【０００５】
【発明が解決しようとする課題】
以上のような従来の接続配管では、分岐管や止水栓を介在させるために、パイプ切断ねじ切り機等の道具を持ち込んで工事を行い、繋ぐために接着やロー付けを行う等複雑かつ手間取る工事となり専門の知識や技能、資格が必要とされていた。
また前述のように、配管業者はキッチンの床や壁面への取り出し配管を行った後、ベースキャビネット内等への配管のために現場に赴く必要があり作業効率が悪かった。
配管するには、分岐管以外に、別途、止水栓Ｐ（図９）、ストレーナ（図示せず）、逆止弁Ｒ（図１０）などを設ける必要も生じていた。また、配管内に残った水の凍結膨張を原因とする破裂を防ぐためや修理のため適所に水抜きを設けることになっていた。
これらの繋ぎ作業を含む配管工事は、ベースキャビネット背面の狭い配管スペースや、ベースキャビネット内に潜り込んで行うことになるので、安定した作業姿勢を取るのは難しく作業能率が上がらず、不注意などでベースキャビネットの扉や内壁に傷を付けたりすることもあった。
【０００６】
近時のように、給水に加えて給湯用の配管をベースキャビネット内に納めることになると、給水管Ｃ、給湯管Ｈのみならず、多数の分岐管Ａ、エルボ管をもって配管を廻らせ、かつ止水栓Ｐ、逆止弁Ｒ等も配置されることで内部が錯綜繁雑化して見苦しい状態となっていた。
従来の分岐管Ａは図１１に示す通り、湯水を分岐する単純な構造で、止水、水抜き、フィルター、逆流防止や簡易接続の機能を有するものではなく、分岐に伴う配管工事が複雑になっていた。
そして、システムキッチンのベースキャビネット内に予め取り付けることによって、将来の給水給湯を必要とする機器を導入した場合に好都合な、配管上合理的な機能を集約した分岐管は提供されていなかった。
【０００７】
【課題を解決するための手段】
この発明はこのような課題を解決するために開発されたのもので、システムキッチン、洗面化粧台、浴室ユニットに代表される給水給湯が必要とされる設備機器への配管に用いるのに好適な給水給湯用分岐管ユニットおよびこれを用いた給水給湯システムを提供しようとするものである。
請求項１の給水給湯用分岐管ユニットの発明は、管体の下部を内部への供給口とし、上部を第一の管口とし、供給口に続けて止水栓及びストレーナを配し、ストレーナよりＴ形管を一体に設けて全体としてＨ形とし、このＴ形管の下向き管口は水抜栓で塞ぎ、上部を第二の管口とし、取り付けブラケットを一体に設けたことを特徴とするものである。
請求項２の発明は、上記構成に加え、供給口と第一及び第二の管口に差し込み式の迅速継手の一方を配し、かつ、第一及び第二の管口には逆止弁、あるいは、管口に差し込むことにより開放する停止弁を任意選択して設けたもので、作業性の改善を図ったものである。
請求項３の発明は、請求項１または請求項２記載の給水給湯用分岐管ユニット一対を一体として連結し給水と給湯に用いるようにしたものである。
請求項４の発明は、請求項３記載の給水給湯用分岐管ユニットを厨房家具のベースキャビネット内部に配置するようにしたものである。
【０００８】
請求項５記載の発明は給水給湯システムであって、請求項３記載の給水給湯用分岐管ユニットをベースキャビネット内部あるいは壁面に取り付けるようにし、量水器からの給水配管及び給水配管から分岐して給湯器を経ての給湯配管を床下あるいは壁面内の配管ボックスに纏めるようにし、配管ボックスからの給水ホース及び給湯ホースの両端を差し込み式の迅速継手の一方とし、給水給湯用分岐管ユニットから湯水混合水栓や食器洗浄機等の電気機器までの給水ホース及び給湯ホースの少なくとも管口側の継手を差し込み式の迅速継手の一方として繋ぐようにしたことを特徴とするものである。
【０００９】
【発明の実施の形態】
以下、図面に示す実施の形態に即してこの発明について説明する。
図１は、この発明に係る給水と給湯を同時になし得るように、同一構造の分岐管ユニットを並列させて繋げ、取り付けブラケット１０１を備えた一の給水給湯用分岐管ユニット１とし、これをシステムキッチンのベースキャビネットＢの背板内側に取り付けるようにしたものを示す。
図２はこの給水給湯用分岐管ユニット１の正面図、図３は斜視図、図４及び図５は断面図である。
この実施の形態では給水給湯用分岐管ユニット１は同一構造のものを並べているので、一方の説明のみとし他方を省略する。
まず、概略を説明すると、短い管体２の下部を迅速継手（この明細書中では簡単に着脱できる継手をいう）の一方の雌型ソケット３を設けた内部への供給口４とし、上部は同じく雌型ソケット３を備え、内部に逆止弁５を配した第一の管口６としてある。供給口４に続けて止水栓７及びストレーナ８を配し、ストレーナ８よりＴ形管９を一体に分岐させ、全体としてほぼＨ形となるようにし、このＴ形管９の下向きの管口１０は水抜栓１１で塞ぎ、上部を雌型ソケット３を備え、内部に停止弁１２を配した第二の管口１３としてある。
停止弁１２は、雄型プラグ２０の管体２０ａの先端を差し込むことで開放連通する構造となっている。
【００１０】
雌型ソケット３は、本体３ａに外嵌したＯリング３ｂを介して水密に供給口４、第一の管口６及び第二の管口１３にねじ込み取り付けるもので、内部には一対のＯリング３ｂ、３ｂを配置して雄型プラグ２０の管体２０ａに密着するようにしてある。
逆止弁５は、管体２の内部の開口に臨むパッキング５ａ、管体２の開口から外れないようにスライドする案内バネ５ｂをナット５ｃで止めたコマ５ｄと、雌型ソケット３の内周面にねじ込んで繋げるコマガイド５ｅ及びコマ５ｄとコマガイド５ｅの間に介在させパッキング５ａを開口に押圧させるコイルスプリング５ｆからなるものである。常態では湯水の圧力でコイルスプリング５ｆに抗して湯水は連通するが、湯水混合水栓Ｋ等から湯水が逆流するとパッキング５ａが開口に密着し阻止することになる。
【００１１】
供給口４に続く水路は隔壁１４をもって蛇行させ、かつ、蛇行する水路には突出する開口１５、１６を設け、夫々に止水栓７及びストレーナ８を順次配し取り付けている。
止水栓７は、主として隔壁１４の通孔１４ａを開閉するパッキングをナットで止めたコマ７ａと、開口１５にねじ込みかつコマ７ａを嵌め込んだ弁棒７ｂからなり、パッキング７ｃを弁棒７ｂに嵌め、キャップナット７ｄで押えるようにしたものである。弁棒７ｂの先端はマイナスネジが切ってありドライバー等で回転させてコマ７ａを移動させ開閉できるようになっている。必要に応じて閉めて止めることになる。
ストレーナ８は、開口１６の内周にねじ込むガイドナット８ａ及び筒状メッシュの本体８ｂとからなるもので、ガイドナット８ａはＯリング８ｃをもって水密に本体８ｂを保持する。本体８ｂを清掃する場合は緩めて外す。本体８ｂは隔壁１４の通孔１４ｂに当接するように配置され、湯水は本体８ｂによりごみが除去されることになる。
【００１２】
下向きの管口１０を塞ぐ水抜栓１１（図４参照）は、外嵌してねじ込むソケット１１ａとソケット１１ａ内にねじ込む先端に傾斜面をもった棒体を一体として備えた水抜管１１ｂを組み合わせてなる。
ソケット１１ａはパッキング１１ｃを介して管口１０にねじ込み、水抜管１１ｂは常態では傾斜面に埋め込んだＯリング１１ｄをもって水密に塞ぐものである。露出する水抜管１１ｂの外周はローレット加工を施して摘み易くなっており、ここを手指で緩めるとＯリング１１ｄが離れ、貫通穴１１ｅを通して水抜きができるようになっている。１１ｆは馬蹄形の止め輪で、水抜管１１ｂを緩めたときの抜け落ちを防ぐために嵌め込んだものである。
【００１３】
管口１３に内蔵する停止弁１２は、雌型ソケット３の本体３ａを延長して、管口１３から内部に入り込むねじ込み筒３ｃを設け、この内部に停止弁１２を内装するようにしてある。
停止弁１２は、ねじ込み筒３ｃの内部に設けた段部３ｄに臨み開閉するパッキングをナットで止めたコマ１２ａと、ねじ込み筒３ｃの先端開口内にねじ止めしたガイド板１２ｂ及びガイド板１２ｂとコマ１２ａの間に介在させるコイルスプリング１２ｃからなるものである。コイルスプリング１２ｃにより常態ではコマ１２ａのパッキングが段部３ｄに圧接し塞ぐようになっている。
図２に示す雄型プラグ２０の差し込む管体２０ａの先端がコマ１２ａのナット或いはパッキングを押圧することで連通するようにしてある。
この停止弁１２によれば、当初用いないときはその儘で閉鎖されており、必要に応じて機器を増設する場合に簡単に接続ができることになる。
そこで、当初より管口１３を管口６と同様な構造とし、逆止弁を設けるようにすることもできる。
開口１５、１６と反対位置には取り付けブラケット１０１を一体に設けてある。１０１ａは取り付け用の通孔である。
図示の例では供給口４、管口６、１３に雌型ソケット３を設け、ここに差し込み繋ぐ雄型プラグ２０を給水ホース４１、給湯ホース４２の先端に設けて一対の迅速継手としたが、雌雄を変えてもよい。
但し、雄型プラグ２０の管体２０ａ先端で押圧して連通するようにした停止弁１２を採用する場合は、管口１３は雌型ソケット３を設けるようにすることが望ましい。
図示は省略するが、迅速継手は雄型プラグ２０と雌型ソケット３に跨がり掛止するクリップをもって外れないようにする。
【００１４】
図１は一体一対の構成からなる給水給湯用分岐管ユニット１を取り付け、それをベースキャビネットＢの背板に取り付けたものである。
そして量水器から直接導かれる給水配管３１及び給水配管から給湯器を経て導かれる給湯配管３２及び排水配管３３の管端を、床下の配管接続ユニット３０に纏めるようにし、配管接続ユニット３０からの給水ホース４１及び給湯ホース４２の両端を差し込み式の迅速継手の雄型プラグ２０として、給水配管３１、給湯配管３２と供給口４、４に繋げるようにしている。
また、湯水混合水栓Ｋからの給水ホース４２、給湯ホース４３の管端を差し込み式の迅速継手の雄型プラグ２０として管口６、１３の雌型ソケット３に繋げるようにしたものである。
停止弁１２を備えた管口１３、１３から、給水用としたものでは浄水器、清水器あるいはもう一方の給水栓などに繋げるようにし、給湯用としたものでは食器洗浄乾燥機Ｗ等への給湯に用いることになる。
【００１５】
図示の例ではベースキャビネットＢに給水給湯用分岐管ユニット１を取り付けるようにしたが、ベースキャビネットＢの背面に配管スペースがある場合には建物の外壁面や壁面内部に取り付けるようにすることもできる。洗面所でも同様である。
浴室ユニットでは、浴槽と洗い場への給水、給湯に用いることになるが、給水給湯用分岐管ユニット１は内壁面に取り付け常態では隠される点検口によって点検可能としておくことも考えられる。
【００１６】
図示の実施の形態では、給水と給湯用のユニットを取り付けブラケット１０１にて一体のものとしたものとして示したが、給水或いは給湯用のみで十分な場合は一体とせずに分割してもよい。この場合は取り付けブラケット１０１の配置箇所も変わることになる。
【００１７】
【発明の効果】
請求項１の発明に係る給水給湯用分岐管ユニットでは、ストレーナや止水栓はこのユニット中に備えているので、改めて配置する作業が不要となったのである。また、水抜栓も備えるようにしたので、湯水混合水栓や食器洗浄乾燥機等の設備機器側の配管中に水抜栓を備える必要がなく、寒冷地仕様及び一般仕様の共通化を図ることができたのである。加えて、壁面への取り付けブラケットを一体に備えるようにしたので別途取付金具を必要とせず取り付け作業が簡易化できたのである。そして、管体の下部を内部への供給口とし、上部に分岐させる管口を配置したので、給水ホース、給湯ホースが錯綜することなく最短で合理的に繋げることになり体裁が良くなるばかりか、接続作業も効率的に行えるのである。
【００１８】
請求項２の発明は、上記構成に加えて、供給口及び管口に差し込み式の迅速継手の一方を配し、かつ、管口には逆止弁、あるいは、管口に差し込むことにより開放する停止弁を任意選択して設けたことを特徴とするものである。そこで、配管材料として剛性を備えた鋼管や合成樹脂管である必要はなく、可撓性を備えた合成樹脂管、具体的にはポリブテン管、架橋ポリエチレン管、ゴムホース管を採用することができのである。また、供給口及び管口には差し込み式の迅速継手の一方を配置したので、接続作業がワンタッチで簡単に行えることになる。また、管口の一方には差し込むことで開放する停止弁を設けるようにすれば、当初は分岐管を必要とせずとも、この分岐管ユニットを組み込んでおけば、後で必要に応じて簡単に配管接続が行えることになる。
【００１９】
請求項３の発明では、給水給湯用分岐管ユニットを取り付けブラケットを介して一体としてあるので、部品管理が簡単になると共に、ベースキャビネットの背板や壁面への取り付けが簡単となるのである。
請求項４の発明では、システムキッチンのように大型の厨房設備に配置することで給水給湯箇所が多くなるものへの対応として好適なものとなるのである。
【００２０】
請求項５の発明は、請求項３の給水給湯用分岐管ユニットを用いると共に、給水配管及び給湯配管を配管ボックスにまとめるようにし、給水ホース及び給湯ホースに差し込み式の迅速継手を用いることで、若干の研修を受けた人でも簡単に接続施工が可能となり、厨房家具に限ることなく、洗面所や浴室等に好適な給水給湯システムとなるのである。
【図面の簡単な説明】
【図１】この発明に係る給水給湯用分岐管ユニットをシステムキッチンのベースキャビネット内の背板に取り付けたものを示す。
【図２】この発明に係る給水給湯用分岐管ユニットの正面図である。
【図３】この発明に係る給水給湯用分岐管ユニットの斜視図である。
【図４】この発明に係る給水給湯用分岐管ユニットの断面図である。
【図５】この発明に係る給水給湯用分岐管ユニットの断面図である。
【図６】システムキッチンの一部を示す斜視図である。
【図７】ベースキャビネット内での湯水混合水栓への配管を示す斜視図である。
【図８】ベースキャビネット内での食器洗浄乾燥機への配管を示す斜視図である。
【図９】湯水混合水栓への配管を示す斜視図である。
【図１０】湯水混合水栓への配管例を示す正面図である。
【図１１】分岐管の例を示す斜視図である。
【符号の説明】
Ｂ    ベースキャビネット
１    給水給湯用分岐管ユニット
２    管体
３    雌型ソケット
３ａ  本体
３ｂ  Ｏリング
４    供給口
５    逆止弁
６、１３  管口
７    止水栓
８    ストレーナ
９    Ｔ形管
１０  管口
１１  水抜栓
１２  停止弁
１４  隔壁
１４ａ、１４ｂ  通孔
１５、１６  開口
１０１  取り付けブラケット
２０  雄型プラグ
２０ａ  管体
３０  配管接続ユニット
３１  給水配管
３２  給湯配管
３３  排水配管
４１  給水ホース
４２  給湯ホース
【図１】
0004293672.tif 000002
【図２】
0004293672.tif 000003
【図３】
0004293672.tif 000004
【図４】
0004293672.tif 000005
【図５】
0004293672.tif 000006
【図６】
0004293672.tif 000007
【図７】
0004293672.tif 000008
【図８】
0004293672.tif 000009
【図９】
0004293672.tif 000010
【図１０】
0004293672.tif 000011
【図１１】
0004293672.tif 000012